(57)【要約】【課題】  表生地と裏生地で構成されるダブルニットであって、表生地にメッシュの柄を形成した丸編み生地における柄組織の提供。【解決手段】  このメッシュ柄組織は、大メッシュと中メッシュ及び小メッシュの３種類があり、メッシュ組織部と非メッシュ組織部とでジャガード柄を作り、丸編み装置のダイヤルにて裏生地が編製され、そして表生地はシリンダーにて編製されるが、シリンダーの動作を一定間隔で停止することでニットしない部分を作ってメッシュ組織となる。メッシュ組織部はニットしないで穴を縦横方向に等間隔で形成し、これら穴が非メッシュ組織部との関係で柄となる。【選択図】    図１
2006233363.tif 000002
【特許請求の範囲】
【請求項１】
表生地と裏生地で構成されるダブルニットの丸編み生地において、表生地はメッシュ組織部と非メッシュ組織部から成り、該メッシュ組織部はＣ糸にて、非メッシュ組織部はＢ糸にて、そして裏生地はＡ糸にて編製し、これらＡ，Ｂ，Ｃ３種類の２４本の糸を用いたことを特徴とする丸編生地における柄組織。
糸(１)のＡ糸はダイヤルにて全てニットされ、シリンダーではニットされず、
糸(２)のＢ糸はダイヤルのＨ針を用いてニットし、シリンダーにてニットされ、
糸(３)のＣ糸はダイヤルのＨ針を用いてタックし、シリンダーにてニットされ、
糸(４)のＡ糸はダイヤルにて全てニットされ、シリンダーではニットされず、
糸(５)のＢ糸ダイヤルのＨ針を用いてニットし、シリンダーにてニットされ、
糸(６)のＣ糸はダイヤルのＨ針を用いてタックし、シリンダーにてニットされ、
糸(７)のＡ糸はダイヤルにて全てニットされ、シリンダーではニットされず、
糸(８)のＢ糸はダイヤルのＬ針を用いてニットし、シリンダーにてニットされ、
糸(９)のＣ糸はダイヤルのＨ針を用いてタックし、シリンダーにてニットされ、
糸(10)のＡ糸はダイヤルにて全てニットされ、シリンダーではニットされず、
糸(11)のＢ糸はダイヤルのＨ針を用いてニットし、シリンダーにてニットされ、
糸(12)のＣ糸はダイヤルのＨ針を用いてタックし、シリンダーにてニットされ、糸(13)のＡ糸はダイヤルにて全てニットされ、シリンダーではニットされず、
糸(14)のＢ糸はダイヤルのＬ針を用いてニットし、シリンダーにてニットされ、
糸(15)のＣ糸はダイヤルのＬ針を用いてタックし、シリンダーにてニットされ、
糸(16)のＡ糸はダイヤルにて全てニットされ、シリンダーではニットされず、
糸(17)のＢ糸はダイヤルのＬ針を用いてニットし、シリンダーにてニットされ、
糸(18)のＣ糸はダイヤルのＬ針を用いてタックし、シリンダーにてニットされ、
糸(19)のＡ糸はダイヤルにて全てニットされ、シリンダーではニットされず、
糸(20)のＢ糸はダイヤルのＨ針を用いてニットし、シリンダーにてニットされ、
糸(21)のＣ糸はダイヤルのＬ針を用いてタックし、シリンダーにてニットされ、
糸(22)のＡ糸はダイヤルにて全てニットされ、シリンダーではニットされず、
糸(23)のＢ糸はダイヤルのＬ針を用いてニットし、シリンダーにてニットされ、
糸(24)のＣ糸はダイヤルのＬ針を用いてタックし、シリンダーにてニットされる。
【請求項２】
表生地と裏生地で構成されるダブルニットの丸編み生地において、表生地はメッシュ組織部と非メッシュ組織部から成り、該メッシュ組織部はＣ糸にて、非メッシュ組織部はＢ糸にて、そして裏生地はＡ糸にて編製し、これらＡ，Ｂ，Ｃ３種類の１８本の糸を用いたことを特徴とする丸編生地における柄組織。
糸(１)のＡ糸はダイヤルにて全てニットされ、シリンダーではニットされず、
糸(２)のＢ糸はダイヤルのＨ針を用いてニットし、シリンダーにてニットされ、
糸(３)のＣ糸はダイヤルのＨ針を用いてタックし、シリンダーにてニットされ、
糸(４)のＡ糸はダイヤルにて全てニットされ、シリンダーではニットされず、
糸(５)のＢ糸ダイヤルのＬ針を用いてニットし、シリンダーにてニットされ、
糸(６)のＣ糸はダイヤルのＨ針を用いてタックし、シリンダーにてニットされ、
糸(７)のＡ糸はダイヤルにて全てニットされ、シリンダーではニットされず、
糸(８)のＢ糸はダイヤルのＨ針を用いてニットし、シリンダーにてニットされ、
糸(９)のＣ糸はダイヤルのＨ針を用いてタックし、シリンダーにてニットされ、
糸(10)のＡ糸はダイヤルにて全てニットされ、シリンダーではニットされず、
糸(11)のＢ糸はダイヤルのＬ針を用いてニットし、シリンダーにてニットされ、
糸(12)のＣ糸はダイヤルのＬ針を用いてタックし、シリンダーにてニットされ、
糸(13)のＡ糸はダイヤルにて全てニットされ、シリンダーではニットされず、
糸(14)のＢ糸はダイヤルのＨ針を用いてニットし、シリンダーにてニットされ、
糸(15)のＣ糸はダイヤルのＬ針を用いてタックし、シリンダーにてニットされ、
糸(16)のＡ糸はダイヤルにて全てニットされ、シリンダーではニットされず、
糸(17)のＢ糸はダイヤルのＬ針を用いてニットし、シリンダーにてニットされ、
糸(18)のＣ糸はダイヤルのＬ針を用いてタックし、シリンダーにてニットされる。
【請求項３】
表生地と裏生地で構成されるダブルニットの丸編み生地において、表生地はメッシュ組織部と非メッシュ組織部から成り、該メッシュ組織部はＣ糸にて、非メッシュ組織部はＢ糸にて、そして裏生地はＡ糸にて編製し、これらＡ，Ｂ，Ｃ３種類の１２本の糸を用いたことを特徴とする丸編生地における柄組織。
糸(１)のＡ糸はダイヤルにて全てニットされ、シリンダーではニットされず、
糸(２)のＢ糸はダイヤルのＨ針を用いてニットし、シリンダーにてニットされ、
糸(３)のＣ糸はダイヤルのＨ針を用いてタックし、シリンダーにてニットされ、
糸(４)のＡ糸はダイヤルにて全てニットされ、シリンダーではニットされず、
糸(５)のＢ糸ダイヤルのＬ針を用いてニットし、シリンダーにてニットされ、
糸(６)のＣ糸はダイヤルのＨ針を用いてタックし、シリンダーにてニットされ、
糸(７)のＡ糸はダイヤルにて全てニットされ、シリンダーではニットされず、
糸(８)のＢ糸はダイヤルのＬ針を用いてニットし、シリンダーにてニットされ、
糸(９)のＣ糸はダイヤルのＬ針を用いてタックし、シリンダーにてニットされ、
糸(10)のＡ糸はダイヤルにて全てニットされ、シリンダーではニットされず、
糸(11)のＢ糸はダイヤルのＨ針を用いてニットし、シリンダーにてニットされ、
糸(12)のＣ糸はダイヤルのＬ針を用いてタックし、シリンダーにてニットされる。
【請求項４】
上記Ａ糸はポリエステル加工糸で普通染料にて染まっていて少し濁っており、Ｂ糸は同じくポリエステル加工糸でカチオン染料にて染まって光沢を有し、又、Ｃ糸はポリエステル加工糸で普通染料にて染まっていて多く濁り、そして糸の太さは、Ａ糸及びＢ糸は８４Ｔ／３６であり、Ｃ糸は８４Ｔ／７２と成っている請求項１、請求項２、又は請求項３記載の丸編生地における柄組織。
【発明の詳細な説明】
【技術分野】
【０００１】
本発明はコンピュータージャガード機を用い、メッシュ組織部と非メッシュ組織部とで任意のジャガード柄を作る丸編み生地の柄組織に関するものである。
【背景技術】
【０００２】
編物はその組織が、糸の輪を順序よく連結させて生地を構成している為に、織物に比較して伸縮性に富み、軽くて含気量が多くて保温力がある。また、縫製が簡単な為に広く衣料品として利用されている。そして、本発明が対象とする丸編はストッキング、肌着など、縫目なく筒状をした編物として編成されていて、その編み組織は色々あって、模様を形成している場合も多い。
【０００３】
特開２００３−３４２８０２号に係る「柄編み靴下」は、ボーダー柄等を有す柄編み靴下の構成において、柄部分を編成した編み糸の糸端が編み組織よりはみ出すことによる外観不良を防止したものであり、地編み部と柄編み部を有する柄編み靴下の構成において、柄編み組織の直前及び／又は直後の１〜数ウェールに編目調整用の糸を編み込んでいる。すなわち、地編み部に用いた表糸、裏糸、柄糸に加え、第３の糸として他の糸を添え編みすることによって、ループを詰め、編目ループの拡大を防止している。
【０００４】
特開平７−５４２４６号に係る「模様付き丸編製品の製法」は、糸の長さ方向に色が周期的に変化するように染色しておき、この糸を用いて丸編を行いサポート等の丸編製品を形成することが出来る。このとき、丸編み製品の糸の周回長さの１ないし数回毎に、周方向の同一位置に同一色部が現れるように設定されている。従って、模様を作る為に編み途中で糸を交換する必要はなく、生産効率は大きく向上する。
【特許文献１】特開２００３−３４２８０２号に係る「柄編み靴下」
【特許文献２】特開平７−５４２４６号に係る「模様付き丸編製品の製法」
【発明の開示】
【発明が解決しようとする課題】
【０００５】
このように、丸編み生地に柄組織を作る方法は色々存在している。本発明は従来に存在しない方法、すなわち、メッシュ組織部と非メッシュ組織部との組合せでもって形成される丸編み生地における柄組織を提供する。
【課題を解決するための手段】
【０００６】
本発明に係る丸編み生地は表生地と裏生地から成るダブルニット組織であり、表生地にメッシュ柄を形成している。このメッシュ柄組織は、大メッシュと中メッシュ及び小メッシュの３種類があり、メッシュ組織部と非メッシュ組織部とでジャガード柄を作ることが出来る。丸編み装置のダイヤルにて裏生地が編製され、そして表生地はシリンダーにて編製されるが、シリンダーの動作を一定間隔で停止することでニットしない部分を作り、またダイヤルにてタック部分を作ることで、これがメッシュ組織となる。
【０００７】
上記メッシュ組織部とはニットしないで穴を縦横方向に等間隔で形成し、これら穴が非メッシュ組織部との関係で柄となる。そして、穴の大きさは大、中、小と丸編み生地の柄組織にて選択される。また、糸は３種類が使用され、必要に応じて染色することが出来る。
【発明の効果】
【０００８】
本発明に係る丸編み生地はダブルニットされて、表生地と裏生地から成っている。そして表生地はメッシュ組織部と非メッシュ組織部を有し、両組織部との組合せで適当な柄組織を構成することが出来る。この柄組織は従来には存在しないものであり、丸編み生地の用途を拡大することが出来、そして新たな意匠の丸編み生地となる。
【実施例】
【０００９】
本発明に係る丸編み生地はダブルニットされて、表生地と裏生地を有している。丸編み装置の仕様は２４ゲージ×３０インチ×４８Ｆのコンピュータージャガード機であり、シリンダーとダイヤルが設けられ、ダイヤル針はＨ針とＬ針の２種類を備え、シリンダーによって裏生地が編製され、表生地はダイヤルにて編製される。ところで、本発明の表生地はメッシュ組織と非メッシュ組織の組み合わせで構成され、メッシュには大メッシュ、中メッシュ、及び小メッシュの３種類がある。
【００１０】
(大メッシュを用いた編み組織の場合)
丸編み装置に供給される糸の本数は２４本とし、使用糸は３種類であり、各糸(１)〜(24)を編製するダイヤル針とシリンダー針の動作は次の通りである。
糸(１)  Ａ糸はダイヤルにて全てニットされ、シリンダーではニットされない。
糸(２)  Ｂ糸はダイヤルのＨ針を用いてニットし、シリンダーにてニットされる。
糸(３)  Ｃ糸はダイヤルのＨ針を用いてタックし、シリンダーにてニットされる。
糸(４)  Ａ糸はダイヤルにて全てニットされ、シリンダーではニットされない。
糸(５)  Ｂ糸ダイヤルのＨ針を用いてニットし、シリンダーにてニットされる。
糸(６)  Ｃ糸はダイヤルのＨ針を用いてタックし、シリンダーにてニットされる。
糸(７)  Ａ糸はダイヤルにて全てニットされ、シリンダーではニットされない。
糸(８)  Ｂ糸はダイヤルのＬ針を用いてニットし、シリンダーにてニットされる。
糸(９)  Ｃ糸はダイヤルのＨ針を用いてタックし、シリンダーにてニットされる。
糸(10)  Ａ糸はダイヤルにて全てニットされ、シリンダーではニットされない。
糸(11)  Ｂ糸はダイヤルのＨ針を用いてニットし、シリンダーにてニットされる。
糸(12)  Ｃ糸はダイヤルのＨ針を用いてタックし、シリンダーにてニットされる
糸(13)  Ａ糸はダイヤルにて全てニットされ、シリンダーではニットされない。
糸(14)  Ｂ糸はダイヤルのＬ針を用いてニットし、シリンダーにてニットされる。
糸(15)  Ｃ糸はダイヤルのＬ針を用いてタックし、シリンダーにてニットされる。
糸(16)  Ａ糸はダイヤルにて全てニットされ、シリンダーではニットされない。
糸(17)  Ｂ糸はダイヤルのＬ針を用いてニットし、シリンダーにてニットされる。
糸(18)  Ｃ糸はダイヤルのＬ針を用いてタックし、シリンダーにてニットされる
糸(19)  Ａ糸はダイヤルにて全てニットされ、シリンダーではニットされない。
糸(20)  Ｂ糸はダイヤルのＨ針を用いてニットし、シリンダーにてニットされる。
糸(21)  Ｃ糸はダイヤルのＬ針を用いてタックし、シリンダーにてニットされる。
糸(22)  Ａ糸はダイヤルにて全てニットされ、シリンダーではニットされない。
糸(23)  Ｂ糸はダイヤルのＬ針を用いてニットし、シリンダーにてニットされる。
糸(24)  Ｃ糸はダイヤルのＬ針を用いてタックし、シリンダーにてニットされる
ところで、上記Ａ糸はポリエステル加工糸で、普通染料にて染まっていて少し濁っている。Ｂ糸は同じくポリエステル加工糸でカチオン染料にて染まって、光沢を有している。又、Ｃ糸はポリエステル加工糸で普通染料にて染まっていて、多く濁っている。糸の太さは、Ａ糸及びＢ糸は８４Ｔ／３６であり、Ｃ糸は８４Ｔ／７２と成っている。図１は上記大メッシュ組織部を表している概略図である。
【００１１】
(中メッシュを用いた編み組織の場合)
丸編み装置に供給される糸の本数は１８本とし、使用糸は３種類であり、各糸(１)〜(18)を編製するダイヤル針とシリンダー針の動作は次の通りである。
糸(１)  Ａ糸はダイヤルにて全てニットされ、シリンダーではニットされない。
糸(２)  Ｂ糸はダイヤルのＨ針を用いてニットし、シリンダーにてニットされる。
糸(３)  Ｃ糸はダイヤルのＨ針を用いてタックし、シリンダーにてニットされる。
糸(４)  Ａ糸はダイヤルにて全てニットされ、シリンダーではニットされない。
糸(５)  Ｂ糸ダイヤルのＬ針を用いてニットし、シリンダーにてニットされる。
糸(６)  Ｃ糸はダイヤルのＨ針を用いてタックし、シリンダーにてニットされる。
糸(７)  Ａ糸はダイヤルにて全てニットされ、シリンダーではニットされない。
糸(８)  Ｂ糸はダイヤルのＨ針を用いてニットし、シリンダーにてニットされる。
糸(９)  Ｃ糸はダイヤルのＨ針を用いてタックし、シリンダーにてニットされる。
糸(10)  Ａ糸はダイヤルにて全てニットされ、シリンダーではニットされない。
糸(11)  Ｂ糸はダイヤルのＬ針を用いてニットし、シリンダーにてニットされる。
糸(12)  Ｃ糸はダイヤルのＬ針を用いてタックし、シリンダーにてニットされる
糸(13)  Ａ糸はダイヤルにて全てニットされ、シリンダーではニットされない。
糸(14)  Ｂ糸はダイヤルのＨ針を用いてニットし、シリンダーにてニットされる。
糸(15)  Ｃ糸はダイヤルのＬ針を用いてタックし、シリンダーにてニットされる。
糸(16)  Ａ糸はダイヤルにて全てニットされ、シリンダーではニットされない。
糸(17)  Ｂ糸はダイヤルのＬ針を用いてニットし、シリンダーにてニットされる。
糸(18)  Ｃ糸はダイヤルのＬ針を用いてタックし、シリンダーにてニットされる
そして、この中メッシュ組織の概略図を図２に表している。
【００１２】
(小メッシュを用いた編み組織の場合)
丸編み装置に供給される糸の本数は１２本とし、使用糸は３種類であり、各糸(１)〜(1２)を編製するダイヤル針とシリンダー針の動作は次の通りである。
糸(１)  Ａ糸はダイヤルにて全てニットされ、シリンダーではニットされない。
糸(２)  Ｂ糸はダイヤルのＨ針を用いてニットし、シリンダーにてニットされる。
糸(３)  Ｃ糸はダイヤルのＨ針を用いてタックし、シリンダーにてニットされる。
糸(４)  Ａ糸はダイヤルにて全てニットされ、シリンダーではニットされない。
糸(５)  Ｂ糸ダイヤルのＬ針を用いてニットし、シリンダーにてニットされる。
糸(６)  Ｃ糸はダイヤルのＨ針を用いてタックし、シリンダーにてニットされる。
糸(７)  Ａ糸はダイヤルにて全てニットされ、シリンダーではニットされない。
糸(８)  Ｂ糸はダイヤルのＬ針を用いてニットし、シリンダーにてニットされる。
糸(９)  Ｃ糸はダイヤルのＬ針を用いてタックし、シリンダーにてニットされる。
糸(10)  Ａ糸はダイヤルにて全てニットされ、シリンダーではニットされない。
糸(11)  Ｂ糸はダイヤルのＨ針を用いてニットし、シリンダーにてニットされる。
糸(12)  Ｃ糸はダイヤルのＬ針を用いてタックし、シリンダーにてニットされる
そして、該中メッシュ組織の概略図は図３に示している。
【図面の簡単な説明】
【００１３】
【図１】大メッシュ組織の概略図。
【図２】中メッシュ組織の概略図。
【図３】小メッシュ組織の概略図。
【図１】
2006233363.tif 000003
【図２】
2006233363.tif 000004
【図３】
2006233363.tif 000005